(57)【要約】【課題】  本発明は従来と同様にデザインを損なうことなく設けることができるとともに、実装する時に実装箇所に厚みが必要な、ズームレンズやマクロレンズ等の可動式レンズや組み合わせて使用できる複数枚のレンズを容易に、効率よく実装することができる情報端末機を得るにある。【解決手段】ズームレンズやマクロレンズ等の可動式レンズや複数枚のレンズ等の第１のレンズが設けられた、折り畳みあるいは回動できる一方の情報端末機本体と、この一方の情報端末機本体に取り付けられた、前記一方の情報端末機本体を折り畳みあるいは回動状態で、前記第１のレンズと重なり合う部位にズームレンズやマクロレンズ等の可動式レンズや複数枚のレンズ等の第２のレンズが設けられた他方の情報端末機本体とで情報端末機を構成している。【選択図】  図１
2005084444.tif 000002
【特許請求の範囲】
【請求項１】
ズームレンズやマクロレンズ等の可動式レンズや複数枚のレンズ等の第１のレンズが設けられた、折り畳みあるいは回動できる一方の情報端末機本体と、この一方の情報端末機本体に取り付けられた、前記一方の情報端末機本体を折り畳みあるいは回動状態で、前記第１のレンズと重なり合う部位にズームレンズやマクロレンズ等の可動式レンズや複数枚のレンズ等の第２のレンズが設けられた他方の情報端末機本体とからなることを特徴とする情報端末機。
【請求項２】
ズームレンズやマクロレンズ等の可動式レンズや複数枚のレンズ等の第１のレンズが設けられた、折り畳みあるいは回動できる一方の情報端末機本体と、この一方の情報端末機本体に取り付けられた、前記一方の情報端末機本体を折り畳みあるいは回動状態で、前記第１のレンズと一体的に使用することができるように、該第１のレンズ重なり合う部位にズームレンズやマクロレンズ等の可動式レンズや複数枚のレンズ等の第２のレンズが設けられた他方の情報端末機本体とからなることを特徴とする情報端末機。
【請求項３】
ズームレンズやマクロレンズ等の可動式レンズや複数枚のレンズ等の第１のレンズが設けられた、折り畳みあるいは回動できる一方の情報端末機本体と、この一方の情報端末機本体に設けられた第１のレンズに重ね合わせることができる、従来と同様の端末機に備えられた端末接続部に接続することができる第２のレンズを有する他方の情報端末機本体とからなることを特徴とする情報端末機。
【発明の詳細な説明】
【技術分野】
【０００１】
本発明は、ズームレンズやマクロレンズ等の可動式レンズや複数枚のレンズを実装する、携帯電話機やＰＤＡ等の情報端末機に関する。
【背景技術】
【０００２】
従来の携帯電話機やＰＤＡ等の情報端末機において、情報端末機本体に単独状態でカメラ等のレンズが装着されている。
【０００３】
したがって、従来のカメラレンズを備える携帯電話機やＰＤＡ等の情報端末機では、特にズームレンズやマクロレンズ等の可動式レンズを実装する場合に、情報端末機本体の厚みが足りないので、実装することが困難であるという欠点があった。
【特許文献１】特開２００３−１８９１６８
【発明の開示】
【発明が解決しようとする課題】
【０００４】
本発明は以上のような従来の欠点に鑑み、従来と同様にデザインを損なうことなく設けることができるとともに、実装する時に実装箇所に厚みが必要な、ズームレンズやマクロレンズ等の可動式レンズや組み合わせて使用できる複数枚のレンズを容易に、効率よく実装することができる情報端末機を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、ズームレンズやマクロレンズ等の可動式レンズや複数枚のレンズ等の第１のレンズが設けられた、折り畳みあるいは回動できる一方の情報端末機本体と、この一方の情報端末機本体に取り付けられた、前記一方の情報端末機本体を折り畳みあるいは回動状態で、前記第１のレンズと重なり合う部位にズームレンズやマクロレンズ等の可動式レンズや複数枚のレンズ等の第２のレンズが設けられた他方の情報端末機本体とで携帯情報端末を構成している。
【発明の効果】
【０００７】
以下の説明から明らかなように、本発明にあっては次に列挙する効果が得られる。
【０００８】
（１）ズームレンズやマクロレンズ等の可動式レンズや複数枚のレンズ等の第１のレンズが設けられた、折り畳みあるいは回動できる一方の情報端末機本体と、この一方の情報端末機本体に取り付けられた、前記一方の情報端末機本体を折り畳みあるいは回動状態で、前記第１のレンズと重なり合う部位にズームレンズやマクロレンズ等の可動式レンズや複数枚のレンズ等の第２のレンズが設けられた他方の情報端末機本体とで構成されているので、第１のレンズ２と第２のレンズ６とを１つのレンズとして使用することができる。
したがって、取り付け部位の厚みが必要なズームレンズやマクロレンズ等の可動式レンズや複数枚のレンズ等を容易に設けることができる。
【０００９】
（２）前記（１）によって、従来と同様の美観で設けることができる。
したがって、デザインを損なうことなく設けることができる。
【００１０】
（３）前記（１）によって、構造が簡単なので、容易に実施することができるとともに、利用価値の高い状態で、従来と同様な美観で設置することができる。
【００１１】
（４）請求項２および３も前記（１）〜（３）と同様な作用効果が得られる。
【発明を実施するための最良の形態】
【００１２】
以下、図面に示す実施するための最良の形態により、本発明を詳細に説明する。
【実施例１】
【００１３】
図１ないし５に示す本発明の第１の実施するための最良の第１の形態において、１は携帯電話機、ＰＤＡ、ポータブルコンピュータ等の、本体部分やフタ部等を折りたたむことができる情報端末機で、この情報端末機、本実施例では折り畳み可能な携帯電話機１は、ズームレンズやマクロレンズ等の可動式レンズや複数枚のレンズ等の第１のレンズ２が固定的に設けられた、折り畳みあるいは回動できる一方の情報端末機本体３と、この一方の情報端末機本体３とヒンジ部４あるいは回動部を介して取り付けられた、前記一方の情報端末機本体３を折り畳みあるいは回動状態で、前記第１のレンズ２と重なり合う部位にズームレンズやマクロレンズ等の可動式レンズや複数枚のレンズ等の第２のレンズ５が固定的に設けられた他方の情報端末機本体６とで構成されている。
【００１４】
前記一方の情報端末機本体３および他方の情報端末機本体６は、従来と同様の携帯電話機としての機能を備え、番号の入力やコンテンツを閲覧、編集等が可能なスクリーン７を有している。
【００１５】
前記第１のレンズあるいは第２のレンズと写した画像や映像は、従来と同様に所定の操作により制御部を介して、前記スクリーン７や小型のサブウインド８等に映し出すことができる。
なお、本実施例では固定レンズを使用し、第１のレンズ単体で、あるいは第２のレンズ単体でカメラとして使用することができる。
【００１６】
上記構成の情報端末機１は、従来と同様に一方の情報端末機本体３と他方の情報端末機本体７を開いた状態で、通話、情報検索、ゲーム等に使用することができる。
前記情報端末機１のカメラあるいはムービー機能を使用する場合には、一方の情報端末機本体３と他方の情報端末機本体７を折畳みあるいは回動させ、収納状態にした時に、一方の情報端末機本体３の第１のレンズ２および他方の情報端末機本体７の第２のレンズ６が重なり合って、１つのレンズとして使用することができる
【００１７】
したがって、情報端末機１の厚みを持たせた状態で第１のレンズ２と第２のレンズ６とを１つのレンズとして、ズームレンズ、マクロレンズとして使用することができる。
また、完全に折畳んだ状態でなくても、対象物に対して焦点が合えば、カメラレンズとして使用することができる。
【００１８】
{発明を実施するための異なる形態}
【００１９】
次に、図６ないし図１３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２０】
図６および図７に示す本発明を実施するための第２の形態において、前記本発明を実施するための最良の第１の形態と主に異なる点は、ズームレンズである第１のレンズ２Ａを用いた点で、このように構成された情報端末機１Ａにしても前記本発明を実施するための最良の第１の形態と同様な作用効果が得られる。
【実施例３】
【００２１】
図８ないし１０に示す本発明を実施するための第３の形態において、前記本発明を実施するための第２の形態と主に異なる点は、複数枚のレンズを有する第１のレンズ２Ｂを用いた点で、このように構成された情報端末機１Ｂにすることにより、前記本発明を実施するための第２の形態と同様な作用効果が得られる。
なお、第２のレンズ５に複数枚のレンズを使用してもよい。
【実施例４】
【００２２】
図１１ないし１３に示す本発明を実施するための第４の形態において、前記本発明を実施するための最良の第１の形態と主に異なる点は、第１のレンズ２が設けられた一方の情報端末機本体３Ａと、折り畳み状態あるいは回動状態で前記第１のレンズ２と重なり合う部位に設けられた、カバー部としての他方の情報端末機本体６Ａとからなる情報端末機としてのＰＤＡに用いた点で、このように構成した情報端末機１Ｃにすることにより、前記本発明を実施するための最良の第１の形態と同様な作用効果が得られる。
なお、本実施例では、図１３に示すように電子辞書やポケットパーソナルコンピュータ等に設けることもできる。
【００２３】
なお、前記本発明の異なる実施の形態では主に第１の実施の形態を基にして説明したが、本発明はこれに限らず、各実施の形態に使用された構成を組み合わせて使用しても同様な作用効果が得られる。
【産業上の利用可能性】
【００２４】
本発明はズームレンズやマクロレンズ等の可動式レンズや複数枚のレンズを実装する、携帯電話機やＰＤＡ等の情報端末機を製造する産業で利用される。
【図面の簡単な説明】
【００２５】
【図１】本発明を実施するための最良の第１の形態の正面図。
【図２】本発明を実施するための最良の第１の形態の背面図。
【図３】本発明を実施するための最良の第１の形態の側面図。
【図４】本発明を実施するための最良の第１の形態の折畳み状態の側面図。
【図５】本発明を実施するための最良の第１の形態の使用状態の概略図。
【図６】本発明を実施するための第２の形態の正面図。
【図７】本発明を実施するための第２の形態の折畳み状態の側面図。
【図８】本発明を実施するための第３の形態の正面図。
【図９】本発明を実施するための第３の形態の折畳み状態の側面図。
【図１０】本発明を実施するための第３の形態の使用状態の概略図。
【図１１】本発明を実施するための第４の形態の正面図。
【図１２】本発明を実施するための第４の形態の折畳み状態の側面図。
【図１３】本発明を実施するための第４の形態のポケットパーソナルコンピュータに使用した場合の説明図。
【符号の説明】
【００２６】
１、１Ａ〜１Ｃ：情報端末機、        ２、２Ａ、２Ｂ：第１のレンズ、
３、３Ａ：一方の情報端末機本体、    ４：ヒンジ部や回動部、
５、５Ａ：第２のレンズ、            ６、６Ａ：他方の情報端末機本体、
７：スクリーン、                    ８：サブウインド、
９：端末部。
【図１】
2005084444.tif 000003
【図２】
2005084444.tif 000004
【図３】
2005084444.tif 000005
【図４】
2005084444.tif 000006
【図５】
2005084444.tif 000007
【図６】
2005084444.tif 000008
【図７】
2005084444.tif 000009
【図８】
2005084444.tif 000010
【図９】
2005084444.tif 000011
【図１０】
2005084444.tif 000012
【図１１】
2005084444.tif 000013
【図１２】
2005084444.tif 000014
【図１３】
2005084444.tif 000015